(57)【要約】【課題】移動通信において、一加入者の複数の移動通信端末機に対する電話番号設定方法を提供する。【解決手段】一加入者の複数の移動通信端末機に単一の代表電話番号を適用して移動電話サービスを支援することによって、一加入者が複数の移動通信端末機を使用する場合に使用者便宜性を提供し、かつ、加入者が複数の移動通信端末機を使用する場合に、各移動通信サービス別に課金を処理できるので便宜が図られる。一局面において、本発明は、複数の端末機に対して代表電話番号を設定する段階と、前記端末機のうち任意の端末機への着信呼を、前記設定された代表電話番号に切り替える段階と、からなることを特徴とする電話番号設定方法を提供する。【選択図】図２
2006129491.tif 000002
【特許請求の範囲】
【請求項１】
複数の端末機に対して代表電話番号を設定する段階と、
前記端末機のうち任意の端末機への着信呼を、前記設定された代表電話番号に切り替える段階と、
からなることを特徴とする電話番号設定方法。
【請求項２】
前記代表電話番号は、前記各端末機の固有の電話番号でない仮想の電話番号であることを特徴とする請求項１に記載の電話番号設定方法。
【請求項３】
前記各端末機の固有の電話番号は、前記代表電話番号に特殊記号と数字を少なくとも一つ組み合わせたものであることを特徴とする請求項２に記載の電話番号設定方法。
【請求項４】
前記代表電話番号は、前記各端末機の固有の電話番号のいずれか一つと定められることを特徴とする請求項１に記載の電話番号設定方法。
【請求項５】
前記複数の端末機のうち任意の端末機から他の使用者端末機への通話試みがある際に、発信者電話番号を前記設定された代表電話番号とすることを特徴とする請求項１に記載の電話番号設定方法。
【請求項６】
前記設定された代表電話番号は、前記各端末機が支援する移動通信サービス用の電話番号であることを特徴とする請求項１に記載の電話番号設定方法。
【請求項７】
複数の移動通信端末機に対して所定の移動通信サービス用代表電話番号を設定する段階と、
前記複数の移動通信端末機のうちいずれか一つの移動通信端末機への着信呼試みがある際に、前記着信呼を、前記設定された代表電話番号に転送する段階と、
を備えてなることを特徴とする移動通信端末機の電話番号設定方法。
【請求項８】
前記代表電話番号は、前記各移動通信端末機の固有の電話番号と異なる仮想の電話番号であることを特徴とする請求項７に記載の移動通信端末機の電話番号設定方法。
【請求項９】
前記代表電話番号に特殊記号と数字を少なくとも一つ組み合わせた番号を、前記複数の移動通信端末機の固有の電話番号としてそれぞれ与えることを特徴とする請求項８に記載の移動通信端末機の電話番号設定方法。
【請求項１０】
前記代表電話番号は、前記各移動通信端末機に既に与えられた固有の電話番号のうちいずれか一つであることを特徴とする請求項７に記載の移動通信端末機の電話番号設定方法。
【請求項１１】
前記移動通信サービスの前記移動通信端末機への課金を、前記代表電話番号に賦課することを特徴とする請求項７に記載の移動通信端末機の電話番号設定方法。
【請求項１２】
前記複数の移動通信端末機は、一使用者が持っているものであることを特徴とする請求項７に記載の移動通信端末機の電話番号設定方法。
【請求項１３】
前記複数の移動通信端末機のうち任意の移動通信端末機から他の使用者の移動通信端末機への通話試みがある際に、前記代表電話番号を発信者電話番号として前記通話の呼を転送することを特徴とする請求項７に記載の移動通信端末機の電話番号設定方法。
【請求項１４】
前記代表電話番号の設定が解除された場合に、前記任意の移動通信端末機の固有の電話番号を前記発信者電話番号として前記通話の呼を転送することを特徴とする請求項１３に記載の移動通信端末機の電話番号設定方法。
【発明の詳細な説明】
【技術分野】
【０００１】
本発明は、移動通信に係り、特に、一加入者の複数の移動通信端末機に対する電話番号設定方法に関する。
【背景技術】
【０００２】
近来、携帯用移動通信端末機の普及は、一人に一機という水準に近付くほどに大衆化してきた。
【０００３】
ところで、通常の携帯電話である移動電話機（mobile phone）の使用者が、その移動電話機と同じ移動電話サービス（特に、音声通話サービス）が支援されるスマートフォン（smartphone）や個人携帯情報端末機（personal digitala ssistants；以下、‘ＰＤＡ’と略す）などの移動通信端末機を購買して一緒に使用する場合に、下記のような問題があった。
【０００４】
その第一は、使用者は、各機器（移動電話機、スマートフォン、ＰＤＡ等）を購買するに当り、各機器ごとに異なる電話番号で加入しなければならず、これら移動通信端末機は同一使用者のものであるにもかかわらずにそれぞれの電話番号間には連関性がなく、課金も各機器ごとに個別請求された。
【０００５】
第二は、使用者は、各機器（移動電話機、スマートフォン、ＰＤＡ等）ごとに連関性のない異なる電話番号が与えられるため、他の人々に各機器別電話番号を知らせなければならず、面倒だった。
【０００６】
第三は、一使用者の各機器（移動電話機、スマートフォン、ＰＤＡ等）がそれぞれ異なる電話番号を有するため、機器を全部携帯しなければならず、不便だった。
【０００７】
図１は、従来、移動電話機とＰＤＡを同時に持っている一使用者に、音声通話を試みる場合を例示する図である。
【０００８】
図１に示すように、‘乙’という使用者が、“０１０−１２３−１２３４”という番号が与えられた移動電話機と、“０１０−１２３−４３２１”という番号が与えられたＰＤＡを持っていると仮定する。
【０００９】
この場合、‘乙’は、‘甲’という他の使用者に２機器の番号を全部知らせなければならない。
【００１０】
また、‘乙’は、どの番号に‘甲’から電話がかかってくるか予想できず、‘甲’からの電話をいつでも受けるためには２機器を常に携帯していなければならない。したがって、仮に、‘乙’が移動電話機のみを携帯している場合に、‘甲’が‘乙’のＰＤＡ電話番号に音声通話を試みると、‘乙’はその音声通話試み自体を認識することができない。
【００１１】
仮に、‘乙’がＰＤＡのみ携帯している場合にも同様に、‘甲’が‘乙’の移動電話機の番号に音声通話を試みると、‘乙’は、その音声通話試み自体を認識することができない。
【００１２】
そこで、近来は、着信切替サービスを利用することによって上記の不便さをある程度解消したが、この着信切替サービスを利用する場合にも下記のような短所が依然として残ることになる。
【００１３】
すなわち、‘乙’の移動電話機の番号のみを知っている‘兵’という使用者が、‘乙’の移動電話機の番号に音声通話を試みた際に、‘乙’が移動電話機からＰＤＡへの着信切替サービスを設定しておいたとすれば、‘乙’の移動電話機への音声通話要求はＰＤＡにつながる。要するに、着信切替サービスにより、受信時には特に問題が生じない。
【発明の開示】
【発明が解決しようとする課題】
【００１４】
しかしながら、‘乙’がＰＤＡを使って‘兵’に発信を試みると、‘乙’の移動電話番号のみを知っている‘兵’は、‘乙’のＰＤＡ番号が発信者番号として送られるため、誰からかけてきた電話かわからない。
【００１５】
本発明は上記の問題を解決するためのもので、その目的は、一加入者の複数の移動通信端末機に単一の代表電話番号を適用することによって、移動電話サービスを支援するのに好適な移動通信端末機の電話番号設定方法を提供することにある。
【００１６】
本発明の他の目的は、複数の移動通信端末機を使用する加入者に、該当の移動通信端末機により提供されうる移動通信サービス別に代表電話番号を与える方法を提供することにある。
【課題を解決するための手段】
【００１７】
上記目的を達成するために、本発明は、例えば、以下の手段を提供する。
項目１．複数の端末機に対して代表電話番号を設定する段階と、
前記端末機のうち任意の端末機への着信呼を、前記設定された代表電話番号に切り替える段階と、
からなることを特徴とする電話番号設定方法。
項目２．前記代表電話番号は、前記各端末機の固有の電話番号でない仮想の電話番号であることを特徴とする項目１に記載の電話番号設定方法。
項目３．前記各端末機の固有の電話番号は、前記代表電話番号に特殊記号と数字を少なくとも一つ組み合わせたものであることを特徴とする項目２に記載の電話番号設定方法。
項目４．前記代表電話番号は、前記各端末機の固有の電話番号のいずれか一つと定められることを特徴とする項目１に記載の電話番号設定方法。
項目５．前記複数の端末機のうち任意の端末機から他の使用者端末機への通話試みがある際に、発信者電話番号を前記設定された代表電話番号とすることを特徴とする項目１に記載の電話番号設定方法。
項目６．前記設定された代表電話番号は、前記各端末機が支援する移動通信サービス用の電話番号であることを特徴とする項目１に記載の電話番号設定方法。
項目７．複数の移動通信端末機に対して所定の移動通信サービス用代表電話番号を設定する段階と、
前記複数の移動通信端末機のうちいずれか一つの移動通信端末機への着信呼試みがある際に、前記着信呼を、前記設定された代表電話番号に転送する段階と、
を備えてなることを特徴とする移動通信端末機の電話番号設定方法。
項目８．前記代表電話番号は、前記各移動通信端末機の固有の電話番号と異なる仮想の電話番号であることを特徴とする項目７に記載の移動通信端末機の電話番号設定方法。
項目９．前記代表電話番号に特殊記号と数字を少なくとも一つ組み合わせた番号を、前記複数の移動通信端末機の固有の電話番号としてそれぞれ与えることを特徴とする項目８に記載の移動通信端末機の電話番号設定方法。
項目１０．前記代表電話番号は、前記各移動通信端末機に既に与えられた固有の電話番号のうちいずれか一つであることを特徴とする項目７に記載の移動通信端末機の電話番号設定方法。
項目１１．前記移動通信サービスの前記移動通信端末機への課金を、前記代表電話番号に賦課することを特徴とする項目７に記載の移動通信端末機の電話番号設定方法。
項目１２．前記複数の移動通信端末機は、一使用者が持っているものであることを特徴とする項目７に記載の移動通信端末機の電話番号設定方法。
項目１３．前記複数の移動通信端末機のうち任意の移動通信端末機から他の使用者の移動通信端末機への通話試みがある際に、前記代表電話番号を発信者電話番号として前記通話の呼を転送することを特徴とする項目７に記載の移動通信端末機の電話番号設定方法。
項目１４．前記代表電話番号の設定が解除された場合に、前記任意の移動通信端末機の固有の電話番号を前記発信者電話番号として前記通話の呼を転送することを特徴とする項目１３に記載の移動通信端末機の電話番号設定方法。
【００１８】
上記目的を達成するための本発明の第１特徴は、複数の端末機に対して代表電話番号を設定する段階と、前記端末機のうち任意の端末機への着信呼を、前記設定された代表電話番号に切り替える段階と、からなることにある。
【００１９】
好ましくは、前記代表電話番号は、前記各端末機の固有の電話番号でない仮想の電話番号である。ここで、前記各端末機の固有の電話番号は、前記代表電話番号に特殊記号と数字を少なくとも一つ組み合わせたものである。
【００２０】
また、前記代表電話番号は、前記各端末機の固有の電話番号のいずれか一つと定められても良い。
【００２１】
好ましくは、前記複数の端末機のうち任意の端末機から他の使用者端末機への通話試みがある際に、発信者電話番号を前記設定された代表電話番号とする。
【００２２】
好ましくは、前記設定された代表電話番号は、前記各端末機が支援する移動通信サービス用の電話番号である。
【００２３】
上記目的を達成するための本発明の第２特徴は、複数の移動通信端末機に対して所定の移動通信サービス用代表電話番号を設定する段階と、前記複数の移動通信端末機のうちいずれか一つの移動通信端末機への着信呼試みがある際に、前記着信呼を、前記設定された代表電話番号に転送する段階と、を備えてなることにある。
【００２４】
好ましくは、前記代表電話番号は、前記各移動通信端末機の固有の電話番号と異なる仮想の電話番号である。ここで、前記代表電話番号に特殊記号と数字を少なくとも一つ組み合わせた番号を、前記複数の移動通信端末機の固有の電話番号としてそれぞれ与える。
【００２５】
また、前記代表電話番号は、前記各移動通信端末機に既に与えられた固有の電話番号のうちいずれか一つでありうる。
【００２６】
好ましくは、前記移動通信サービスの前記移動通信端末機への課金を、前記代表電話番号に賦課する。
【００２７】
好ましくは、前記複数の移動通信端末機は、一使用者が持っているものである。
【００２８】
好ましくは、前記複数の移動通信端末機のうち任意の移動通信端末機から他の使用者の移動通信端末機への通話試みがある際に、前記代表電話番号を発信者電話番号として前記通話の呼を転送する。ここで、前記代表電話番号の設定が解除された場合に、前記任意の移動通信端末機の固有の電話番号を前記発信者電話番号として前記通話の呼を転送する。
【発明の効果】
【００２９】
本発明によれば、一加入者が複数の移動通信端末機を使用する場合に、使用者便宜性を提供することが可能になる。
【００３０】
また、本発明は、一加入者が複数の移動通信端末機を使用する場合に、各移動通信サービス別に課金処理ができるので便宜が図られるという効果が得られる。
【発明を実施するための最良の形態】
【００３１】
以下、本発明の好適な実施形態に係る移動通信端末機の電話番号設定方法について、添付の図面を参照しつつ詳細に説明する。以下の説明において、図面及びこれに基づく具体例により説明される本発明の構成及び作用は、一例に過ぎないもので、本発明の技術的思想及び核心構成並びに作用を制限するためのものではない。
【００３２】
本発明では、一使用者が複数の移動通信端末機を持っている場合に、これら端末機の代表電話番号を設定する。
【００３３】
したがって、移動通信網の交換機は、一使用者の複数の端末機を一集団として識別する。そして、これら移動通信端末機に受信される全ての音声通話呼（call）を、一つの代表電話番号に受信される呼として認識する。課金（billing）も、その一つの代表電話番号に対して行う。
【００３４】
本発明による代表電話番号の設定例には、下記の３通りがある。ここでは、一使用者が、移動通信端末機として移動電話機、スマートフォン及びＰＤＡを持っていると仮定する。
【００３５】
１）各移動通信端末機の固有の電話番号はそのまま個別的に使用すると同時に、これら移動通信端末機を代表する仮想の電話番号一つををさらに設定する。この場合、各移動通信端末機の電話番号は、仮想の代表電話番号に特殊記号と数字を組み合わせた電話番号として設定する。例えば、図２に示すように、仮想の代表電話番号を“０１０−１２３−１２３４”と設定し、各移動通信端末機の電話番号を順に、“０１０−１２３−１２３４＃１”、“０１０−１２３−１２３４＃２”及び“０１０−１２３−１２３４＃３”と設定する。
【００３６】
２）各移動通信端末機の固有の電話番号はそのまま個別使用すると同時に、これら移動通信端末機を代表する仮想の電話番号一つをさらに設定する。例えば、図７に示すように、仮想の代表電話番号を“０１０−１２３−１１１１”と設定し、各移動通信端末機の電話番号は、加入時にそれぞれ与えられた“０１０−１２３−１２３４”、“０１０−１２３−２３４５”及び“０１０−１２３−３４５６”と設定する。
【００３７】
３）各移動通信端末機の固有の電話番号はそのまま個別使用し、これら移動通信端末機の電話番号のうちいずれか一つを、全部を代表する電話番号として設定する。例えば、図１２に示すように、加入時に各移動通信端末機の電話番号が“０１０−１２３−１２３４”、“０１０−１２３−１１１１”及び“０１０−１２３−４３２１”と与えられた場合に、“０１０−１２３−１１１１”を代表電話番号として設定する。
【００３８】
以下、これらの３通りの例に基づき、本発明について詳細に説明する。
【００３９】
図２は、本発明の第１実施形態による移動通信端末機の電話番号設定とそれによる端末機間の通話例を説明するための図である。
【００４０】
図２に示す第１実施形態では、上記の例１)の場合の如く、一使用者（以下、‘乙’とする）が持っている複数の移動通信端末機全体に適用される一つの仮想の代表電話番号を設定し、続いて、各移動通信端末機に、予め設定された仮想の代表電話番号に特殊記号と数字などを組み合わせてなる固有の電話番号を与える。
【００４１】
ここで、仮想の代表電話番号は、‘乙’の複数の移動通信端末機を一集団として識別する番号である。
【００４２】
‘乙’の複数の移動通信端末機に音声通信サービスを提供する基地局２は、スロット周期インデックス（Slot cycle index）を参照しそれによるスロット周期で‘乙’の移動通信端末機の呼出チャネル（paging channel）を探索し、これにより、自分と各移動通信端末機間の接続状態を点検する。これは、アイドル状態（idlestate）時における基地局２と‘乙’の移動通信端末機間の通信過程である。
【００４３】
一方、移動通信事業者が、‘乙’所有の複数の移動通信端末機に対して仮想の代表電話番号一つと各端末機の固有電話番号を指定する過程について説明する。
【００４４】
まず、移動通信事業者は、‘乙’所有の端末機全体を代表する代表電話番号一つを与える。そして、この代表電話番号に特殊記号と数字を少なくとも一つ組み合わせて‘乙’所有の各移動通信端末機に固有の電話番号として与える。例えば、まず、代表電話番号を“０１０−１２３−１２３４”と設定し、各移動通信端末機の電話番号を順に、“０１０−１２３−１２３４＃１”、“０１０−１２３−１２３４＃２”及び“０１０−１２３−１２３４＃３”と設定する。または、順に、“０１０−１２３−１２３４*１”、“０１０−１２３−１２３４*２”及び“０１０−１２３−１２３４*３”と設定しても良い。
【００４５】
このような本発明の第１実施形態による移動通信端末機の電話番号設定以降の端末機間の通話時における呼受信設定を、図３に示す。
【００４６】
図３を参照すると、少なくとも一つの移動通信端末機を持っている‘乙’は、予め設定された自分の代表電話番号に音声呼が着信される場合に、Ａ、Ｂ及びＣの端末機のうちどの端末機で音声呼を受信するか予め設定する。
【００４７】
この音声呼の受信端末機の設定は、‘乙’の移動通信端末機に移動通信サービスを提供する基地局２またはその基地局２に移動通信交換機能を提供する交換機２のプログラム設定である。
【００４８】
図３に示すように、‘乙’が端末機Ａ（０１０−１２３−１２３４＃１）を音声呼の受信端末機として予め設定しておけば、交換機２は、‘乙’の代表電話番号への呼（call）要請がある場合に端末機Ａの固有の電話番号“０１０−１２３−１２３４＃１”にその呼信号を転送する。
【００４９】
以降、‘乙’が、音声呼の受信端末機を、端末機Ａ（０１０−１２３−１２３４＃１）から端末機Ｂ（０１０−１２３−１２３４＃２）に変更すると、交換機２は、‘乙’の代表電話番号への呼要請がある場合に、端末機Ｂの固有の電話番号“０１０−１２３−１２３４＃２”にその呼信号を転送する。
【００５０】
図４は、本発明の第１実施形態において呼受信設定による通話例を示す図であり、‘乙’が、端末機Ａ（０１０−１２３−１２３４＃１）で呼を受信するように設定した状態で、‘甲’が‘乙’の代表電話番号（０１０−１２３−１２３４）に通話を試みると、交換機２は、端末機Ａである移動電話機の電話番号に呼信号を転送し、これにより、‘乙’は、移動電話機を介して‘甲’と通話するようになる。
【００５１】
図５ａ及び図５ｂは、本発明の第１実施形態において呼試みによる通話手続きを示す図であり、図５ａは、代表電話番号への呼試みがある場合の通話手続きで、図５ｂは、各端末機別固有電話番号への呼試みがある場合の通話手続きである。
【００５２】
図５ａを参照すると、‘甲’が“０１０−１２３−１２３４”と“通話”ボタンを押すことによって、この‘甲’の端末機から“０１０−１２３−１２３４”への通話接続要請は、基地局１、交換機１及び移動通信網（または、一般の電話網である公衆交換網（ＰＳＴＮ））を経て交換機２に受信される。ここで、経由する網が移動通信網である場合には、交換機１と交換機２は一つの交換機とされる。
【００５３】
交換機２は、設定されたプログラムにより、通話接続が要請された代表電話番号である“０１０−１２３−１２３４”に対して‘乙’が予め設定しておいた受信端末機（端末機Ａ）の固有電話番号を確認する。これにより、交換機２は、呼出する電話番号を“０１０−１２３−１２３４”から“０１０−１２３−１２３４＃１”に切り替える。
【００５４】
続いて、交換機２は、‘甲’により要請された呼信号を、基地局２を経て端末機Ａに送信する。
【００５５】
この通話要請に対して‘乙’が端末機Ａを介して肯定的な応答信号を交換機２に送信することで、‘甲’の端末機と‘乙’の端末機Ａ間に通話がなされる。
【００５６】
一方、図５ｂを参照すると、‘甲’が、‘乙’所有の複数の移動通信端末機電話番号のうち“０１０−１２３−１２３４＃２”と“通話”ボタンを押すことによって、この‘甲’の端末機から“０１０−１２３−１２３４＃２”への通話接続要請が、基地局１、交換機１及び移動通信網（または、一般の電話網である公衆交換網（ＰＳＴＮ））を経て交換機２に受信される。
【００５７】
交換機２は、‘甲’により要請された呼信号を、基地局２を経て端末機Ｂに送信する。
【００５８】
この通話要請に対して‘乙’が端末機Ｂを介して肯定的な応答信号を交換機２に送信することで、‘甲’の端末機と‘乙’の端末機Ｂ間に通話がなされる。
【００５９】
図６ａ及び図６ｂは、本発明の第１実施形態において、代表電話番号を使用する使用者側から通話を試みる際に、この使用者（すなわち、発信者）の電話番号を転送する手続きを示す図である。
【００６０】
図６ａを参照すると、交換機２は、‘乙’の所定の端末機から呼試みを受信すると、この呼を試みた端末機の電話番号を代表電話番号に変換し、該代表電話番号を発信者の電話番号として転送する。すなわち、図６ａに例示するように、‘乙’が端末機Ｂ（ＰＤＡ）を用いて呼を要請すると、端末機Ｂの固有電話番号が交換機２に入力され、交換機２は、予め設定された代表電話番号を発信者電話番号として出力する。
【００６１】
交換機２は、呼試みがいかなる‘乙’の端末機から受信されるかにかかわらず、入力された固有電話番号を代表電話番号に変換して出力する。
【００６２】
一方、図６ｂに示すように、設定されていた代表電話番号を解除した場合では、‘乙’が所定の端末機を用いて呼を要請すると、交換機２は、その呼要請に使用した端末機の固有電話番号を発信者電話番号として転送する。すなわち、例えば、‘乙’が、代表電話番号が解除された状態で、端末機Ｂ（ＰＤＡ）を用いて呼を要請すると、端末機Ｂの固有電話番号が交換機２に入力され、交換機２は、入力された電話番号をそのまま出力電話番号とするので、端末機Ｂの固有電話番号が発信者電話番号として出力される。
【００６３】
図７は、本発明の第２実施形態による移動通信端末機の電話番号設定とそれによる端末機間の通話例を説明するための図である。
【００６４】
図７に示す第２実施形態では、前述した移動通信端末機の電話番号の設定例の２）のように、‘乙’所有の複数の移動通信端末機の加入時に個別的に与えられたそれぞれの固有電話番号はそのまま使用し、‘乙’の移動通信端末機全体に適用される仮想の電話番号一つをさらに設定する。
【００６５】
本実施形態でも、第１実施形態と同様に、仮想の代表電話番号は、‘乙’の複数の移動通信端末機を一集団として識別する番号である。
【００６６】
‘乙’の複数の移動通信端末機に音声通信サービスを提供する基地局２は、スロット周期インデックス（Slot cycle index）を参照しそれによるスロット周期で‘乙’の移動通信端末機の呼出チャネル（paging channel）を探索し、これにより、自分と各移動通信端末機間の接続状態を点検する。これは、アイドル状態（idlestate）時における基地局２と‘乙’の移動通信端末機間の通信過程である。
【００６７】
特に、本発明の第２実施形態では、第１実施形態と違い、移動通信事業者が、‘乙’所有の複数の移動通信端末機に対して仮想の代表電話番号一つと該代表電話番号と関連付けて各端末機の固有電話番号を指定する過程が要求されない。すなわち、上にも述べたように、各端末機別に加入時に与えられた固有の電話番号をそのまま使用する。
【００６８】
このような本発明の第２実施形態による移動通信端末機の電話番号設定以降の端末機間の通話時における呼受信設定を、図８に示す。
【００６９】
図８を参照すると、複数の移動通信端末機を持っている‘乙’は、予め設定された自分の代表電話番号に音声呼が着信される場合に、図８に示すＡ、Ｂ及びＣ端末機のうちどの端末機で音声呼を受信するかを予め設定しておく。
【００７０】
この音声呼に対する受信端末機の設定は、‘乙’の複数の移動通信端末機に移動通信サービスを提供する基地局２または該基地局２に移動通信交換機能を提供する交換機２のプログラム設定である。
【００７１】
図８に示すように、‘乙’が、端末機Ａ（０１０−１２３−１２３４）を音声呼の受信端末機として予め設定しておけば、交換機２は、‘乙’の代表電話番号“０１０−１２３−１１１１”への呼（call）要請がある場合に、その呼信号を端末機Ａの固有の電話番号“０１０−１２３−１２３４”に送信する。
【００７２】
図９は、本発明の第２実施形態において呼受信設定による通話例を示す図である。同図に示すように、‘乙’が端末機Ａ（０１０−１２３−１２３４）で呼を受信するように設定しておいた状態で、‘甲’が‘乙’の代表電話番号（０１０−１２３−１１１１）に通話を試みると、交換機２は、端末機Ａである移動電話機の電話番号に呼信号を転送し、これにより、‘乙’は、移動電話機を介して‘甲’と通話するようになる。
【００７３】
図１０ａ及び図１０ｂは、本発明の第２実施形態において、呼試みによる通話手続きを示す図であり、図１０ａは、代表電話番号に呼試みがある場合の通話手続きで、図１０ｂは、各端末機別固有電話番号に呼試みがある場合の通話手続きである。
【００７４】
図１０ａを参照すると、‘甲’が“０１０−１２３−１１１１”と“通話”ボタンを押すことによって、この‘甲’の端末機から“０１０−１２３−１１１１”への通話接続要請が、基地局１、交換機１及び移動通信網（または、一般の電話網である公衆交換網（ＰＳＴＮ））を経て交換機２に受信される。ここで、経由する網が移動通信網である場合には、交換機１と交換機２は一つの交換機とされる。
【００７５】
交換機２は、設定されたプログラムにより、通話接続が要請された代表電話番号である“０１０−１２３−１１１１”に対して‘乙’が予め設定しておいた受信端末機（端末機Ａ）の固有電話番号を確認する。これにより、交換機２は、呼出する電話番号を“０１０−１２３−１１１１”から“０１０−１２３−１２３４”に切り替える。
【００７６】
続いて、交換機２は、‘甲’により要請された呼信号を、基地局２を経て端末機Ａに送信する。
【００７７】
この通話要請に対して、‘乙’が端末機Ａを介して肯定的な応答信号を交換機２に送信することで、‘甲’の端末機と‘乙’の端末機Ａ間に通話がなされる。
【００７８】
一方、図１０ｂを参照すると、‘甲’が、‘乙’所有の複数の移動通信端末機電話番号のうち“０１０−１２３−２３４５”と“通話”ボタンを押すことによって、この‘甲’の端末機から“０１０−１２３−２３４５”への通話接続要請が、基地局１、交換機１及び移動通信網（または、一般の電話網である公衆交換網（ＰＳＴＮ））を経て交換機２に受信される。
【００７９】
交換機２は、‘甲’により要請された呼信号を、基地局２を経て端末機Ｂに送信する。
【００８０】
この通話要請に対して‘乙’が端末機Ｂを介して肯定的な応答信号を交換機２に送信することによって、‘甲’の端末機と‘乙’の端末機Ｂ間に通話がなされる。
【００８１】
図１１ａ及び図１１ｂは、本発明の第２実施形態において代表電話番号を使用する使用者側から通話を試みる際に、該使用者（すなわち、発信者）の電話番号を転送する手続きを示す図である。
【００８２】
図１１ａを参照すると、交換機２は、‘乙’の所定の端末機から呼試みを受信すると、この呼を試みた端末機の電話番号を代表電話番号に変換し、この代表電話番号を発信者の電話番号として転送する。すなわち、図１１ａに例示するように、‘乙’が端末機Ｂ（ＰＤＡ）を用いて呼を要請すると、端末機Ｂの固有電話番号“０１０−１２３−２３４５”が交換機２に入力され、交換機２は、予め設定された代表電話番号“０１０−１２３−１１１１”を発信者電話番号として出力する。
【００８３】
交換機２は、呼試みがいかなる‘乙’の端末機から受信されるかにかかわらず、入力された固有電話番号を代表電話番号に変換して出力する。
【００８４】
一方、図１１ｂに示すように、設定されていた代表電話番号“０１０−１２３−１１１１”を解除した場合では、‘乙’が所定の端末機を用いて呼を要請すると、交換機２は、その呼要請に使用した端末機の固有電話番号を発信者電話番号として転送する。すなわち、例えば、‘乙’が、代表電話番号が解除された状態で、端末機Ｂ（ＰＤＡ）を用いて呼を要請すると、端末機Ｂの固有電話番号“０１０−１２３−２３４５”が交換機２に入力され、交換機２は、入力された電話番号をそのまま出力電話番号とするので、端末機Ｂの固有電話番号が発信者電話番号として出力される。
【００８５】
図１２は、本発明の第３実施形態による移動通信端末機の電話番号設定とそれによる端末機間の通話例を説明するための図である。
【００８６】
図１２に示す第３実施形態では、前述した移動通信端末機の電話番号の設定例３）のように、‘乙’所有の複数の移動通信端末機の加入時に個別的に与えられた各固有の電話番号はそのまま使用し、これら‘乙’の移動通信端末機のうちいずれか一つの固有電話番号を、‘乙’所有の端末機全体に対する代表電話番号と設定する。
【００８７】
ここでも、第１及び第２実施形態と同様に、設定された代表電話番号は‘乙’の複数の移動通信端末機を一集団として識別する番号である。
【００８８】
‘乙’の複数の移動通信端末機に音声通信サービスを提供する基地局２は、スロット周期インデックス（Slot cycle index）を参照しそれによるスロット周期で‘乙’の移動通信端末機の呼出チャネル（paging channel）を探索し、これにより、自分と各移動通信端末機間の接続状態を点検する。これは、アイドル状態（idlestate）時における基地局２と’乙’の移動通信端末機間の通信過程である。
【００８９】
特に、本発明の第３実施形態では、各端末機別に加入時に与えられた固有の電話番号をそのまま使用する。
【００９０】
このような本発明の第３実施形態による移動通信端末機の電話番号設定以降の端末機間の通話時における呼受信設定を、図１３に示す。
【００９１】
図１３を参照すると、少なくとも一つの移動通信端末機を持っている‘乙’は、予め設定された自分の代表電話番号“０１０−１２３−１１１１”に音声呼が着信される場合に、Ａ、Ｂ及びＣの端末機のうちどの端末機でその音声呼を受信するか予め設定する。すなわち、端末機ＢであるＰＤＡの固有電話番号を代表電話番号と設定した後には、該ＰＤＡの電話番号に音声呼が着信されても、使用者‘乙’による受信端末機設定に従って音声呼を受信する端末機が決定される。
【００９２】
この音声呼の受信端末機の設定は、‘乙’の移動通信端末機に移動通信サービスを提供する基地局２またはその基地局２に移動通信交換機能を提供する交換機２のプログラム設定である。
【００９３】
図１３に示すように、‘乙’が端末機Ａ（０１０−１２３−１２３４）を音声呼の受信端末機として予め設定しておけば、交換機２は、‘乙’の代表電話番号“０１０−１２３−１１１１”への呼（call）要請がある場合に端末機Ａの固有の電話番号“０１０−１２３−１２３４”にその呼信号を転送する。
【００９４】
図１４は、本発明の第３実施形態において呼受信設定による通話例を示す図であり、‘乙’が、端末機Ａ（０１０−１２３−１２３４）で呼を受信するように設定した状態で、‘甲’が‘乙’の代表電話番号（０１０−１２３−１１１１）、すなわち、ＰＤＡの電話番号に通話を試みると、交換機２は、端末機Ａである移動電話機の電話番号（０１０−１２３−１２３４）に呼信号を転送し、これにより、‘乙’は移動電話機を介して‘甲’と通話する。
【００９５】
図１５ａ及び図１５ｂは、本発明の第３実施形態において呼試みによる通話手続きを示す図であり、図１５ａは、代表電話番号への呼試みがある場合の通話手続きで、図１５ｂは、各端末機別固有電話番号への呼試みがある場合の通話手続きである。
【００９６】
図１５ａを参照すると、‘甲’が“０１０−１２３−１１１１”と“通話”ボタンを押すことによって、この‘甲’の端末機から“０１０−１２３−１１１”への通話接続要請は、基地局１、交換機１及び移動通信網（または、一般の電話網である公衆交換網（ＰＳＴＮ））を経て交換機２に受信される。ここで、経由する網が移動通信網である場合には、交換機１と交換機２は一つの交換機とされる。
【００９７】
交換機２は、設定されたプログラムにより、通話接続が要請された代表電話番号である“０１０−１２３−１１１１”に対して‘乙’が予め設定しておいた受信端末機（端末機Ａ）の固有電話番号を確認する。これにより、交換機２は、呼出する電話番号を“０１０−１２３−１１１１”から“０１０−１２３−１２３４”に切り替える。
【００９８】
続いて、交換機２は、‘甲’により要請された呼信号を、基地局２を経て端末機Ａに送信する。
【００９９】
この通話要請に対して‘乙’が端末機Ａを介して肯定的な応答信号を交換機２に送信すると、‘甲’の端末機と‘乙’の端末機Ａ間に通話がなされる。
【０１００】
一方、図１５ｂを参照すると、‘甲’が、‘乙’所有の複数の移動通信端末機電話番号のうち“０１０−１２３−４３２１”と“通話”ボタンを押すことによって、この‘甲’の端末機からの“０１０−１２３−４３２１”への通話接続要請が、基地局１、交換機１及び移動通信網（または、一般の電話網である公衆交換網（ＰＳＴＮ））を経て交換機２に受信される。
【０１０１】
交換機２は、‘甲’により要請された呼信号を、基地局２を経て端末機Ｃに送信する。
【０１０２】
この通話要請に対して‘乙’が端末機Ｃを介して肯定的な応答信号を交換機２に送信することによって、‘甲’の端末機と‘乙’の端末機Ｃ間に通話がなされる。
【０１０３】
図１６ａ及び図１６ｂは、本発明の第３実施形態において代表電話番号を使用する使用者側から通話を試みる際に、この使用者（すなわち、発信者）の電話番号を転送する手続きを示す図である。
【０１０４】
図１６ａを参照すると、交換機２は、‘乙’の所定の端末機から呼試みを受信すると、この呼を試みた端末機の電話番号を代表電話番号に変換し、この代表電話番号を発信者の電話番号として転送する。例えば、‘乙’が端末機Ｃを用いて呼を要請すると、端末機Ｃの固有電話番号“０１０−１２３−４３２１”が交換機２に入力され、交換機２は、予め設定された代表電話番号“０１０−１２３−１１１１”を発信者電話番号として出力する。
【０１０５】
交換機２は、呼試みが‘乙’のいかなる端末機から受信されるかにかかわらず、入力された固有電話番号を代表電話番号に変換して出力する。
【０１０６】
一方、図１６ｂに示すように、設定されていた代表電話番号“０１０−１２３−１１１１”を解除した場合には、‘乙’が所定端末機を用いて呼を要請すると、交換機２は、当該の呼要請に使用した端末機の固有電話番号を、発信者電話番号として転送する。例えば、‘乙’が、代表電話番号が解除された状態で、端末機Ｃを用いて呼を要請すると、端末機Ｃの固有電話番号“０１０−１２３−４３２１”が交換機２に入力される。この場合、交換機２は、入力された電話番号をそのまま出力番号とするので、端末機Ｃの固有電話番号が発信者電話番号として出力される。
【０１０７】
以上では音声通話サービスに限定して説明してきた。もちろん、本発明が音声通話サービスに最も好適に適用されるのではあるものの、本発明は、音声通話サービスに限定されず、その他いずれの移動通信サービスにも適用可能である。
【０１０８】
なお、本発明では、上記設定された代表電話番号に課金する。以上では音声通話サービスを例に挙げて説明してきたので、‘乙’所有の全ての端末機で使用した音声通話サービスの料金は、代表電話番号に賦課される。もちろん、これは、‘乙’所有の全ての端末機に対する移動通信サービスプロバイダが同じ場合に最も都合が良い。
【０１０９】
要するに、本発明は、一使用者が複数の移動通信端末機を使用する場合に、音声通話サービスを含めて各移動通信サービス別に代表電話番号を設定して使用し、かつ、各移動通信サービス別に課金することを実現することができる。
【０１１０】
以上説明した内容から、本発明の技術思想を逸脱しない範囲内で様々な変更及び修正が可能であることが、当業者にとっては明らかであるだろう。
【０１１１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【０１１２】
移動通信において、一加入者の複数の移動通信端末機に対する電話番号設定方法を提供する。
【０１１３】
一加入者の複数の移動通信端末機に単一の代表電話番号を適用して移動電話サービスを支援することによって、一加入者が複数の移動通信端末機を使用する場合に使用者便宜性を提供し、かつ、加入者が複数の移動通信端末機を使用する場合に、各移動通信サービス別に課金を処理できるので便宜が図られる。
【図面の簡単な説明】
【０１１４】
【図１】従来、移動電話機とＰＤＡを同時に持っている一使用者に音声通話を試みる場合を説明するための例示図である。
【図２】本発明の第１実施形態による移動通信端末機の電話番号設定とそれによる端末機間の通話例を説明するための図である。
【図３】本発明の第１実施形態による移動通信端末機の電話番号設定以降の、端末機間の通話時における呼受信設定を説明するための図である。
【図４】本発明の第１実施形態において呼受信設定による通話例を示す図である。
【図５Ａ】本発明の第１実施形態において呼試みによる通話手続きを示す図であり、図５ａは、代表電話番号に呼試みがある場合の通話手続きで、図５ｂは、各端末機別固有電話番号に呼試みがある場合の通話手続きである。
【図５Ｂ】本発明の第１実施形態において呼試みによる通話手続きを示す図であり、図５ａは、代表電話番号に呼試みがある場合の通話手続きで、図５ｂは、各端末機別固有電話番号に呼試みがある場合の通話手続きである。
【図６Ａ】本発明の第１実施形態において、代表電話番号を使用する使用者側から通話を試みる際に、この使用者（すなわち、発信者）の電話番号を転送する手続きを示す図である。
【図６Ｂ】本発明の第１実施形態において、代表電話番号を使用する使用者側から通話を試みる際に、この使用者（すなわち、発信者）の電話番号を転送する手続きを示す図である。
【図７】本発明の第２実施形態による移動通信端末機の電話番号設定とそれによる端末機間の通話例を説明するための図である。
【図８】本発明の第２実施形態による移動通信端末機の電話番号設定以降の、端末機間の通話時における呼受信設定を説明するための図である。
【図９】本発明の第２実施形態において呼受信設定による通話例を示す図である。
【図１０Ａ】本発明の第２実施形態において呼試みによる通話手続きを示す図であり、図１０ａは、代表電話番号に呼試みがある場合の通話手続きで、図１０ｂは、各端末機別固有電話番号に呼試みがある場合の通話手続きである。
【図１０Ｂ】本発明の第２実施形態において呼試みによる通話手続きを示す図であり、図１０ａは、代表電話番号に呼試みがある場合の通話手続きで、図１０ｂは、各端末機別固有電話番号に呼試みがある場合の通話手続きである。
【図１１Ａ】本発明の第２実施形態において代表電話番号を使用する使用者側から通話を試みる際に、この使用者（すなわち、発信者）の電話番号を転送する手続きを示す図である。
【図１１Ｂ】本発明の第２実施形態において代表電話番号を使用する使用者側から通話を試みる際に、この使用者（すなわち、発信者）の電話番号を転送する手続きを示す図である。
【図１２】本発明の第３実施形態による移動通信端末機の電話番号設定とそれによる端末機間の通話例を説明するための図である。
【図１３】本発明の第３実施形態による移動通信端末機の電話番号設定以降の、端末機間の通話時における呼受信設定を説明するための図である。
【図１４】本発明の第３実施形態において呼受信設定による通話例を示す図である。
【図１５Ａ】本発明の第３実施形態において呼試みによる通話手続きを示す図であり、図１５ａは、代表電話番号に呼試みがある場合の通話手続きで、図１５ｂは、各端末機別固有電話番号に呼試みがある場合の通話手続きである。
【図１５Ｂ】本発明の第３実施形態において呼試みによる通話手続きを示す図であり、図１５ａは、代表電話番号に呼試みがある場合の通話手続きで、図１５ｂは、各端末機別固有電話番号に呼試みがある場合の通話手続きである。
【図１６Ａ】本発明に第３実施形態において代表電話番号を使用する使用者側から通話を試みる際に、この使用者（すなわち、発信者）の電話番号を転送する手続きを示す図である。
【図１６Ｂ】本発明に第３実施形態において代表電話番号を使用する使用者側から通話を試みる際に、この使用者（すなわち、発信者）の電話番号を転送する手続きを示す図である。
【図１】
2006129491.tif 000003
【図２】
2006129491.tif 000004
【図３】
2006129491.tif 000005
【図４】
2006129491.tif 000006
【図５Ａ】
2006129491.tif 000007
【図５Ｂ】
2006129491.tif 000008
【図６Ａ】
2006129491.tif 000009
【図６Ｂ】
2006129491.tif 000010
【図７】
2006129491.tif 000011
【図８】
2006129491.tif 000012
【図９】
2006129491.tif 000013
【図１０Ａ】
2006129491.tif 000014
【図１０Ｂ】
2006129491.tif 000015
【図１１Ａ】
2006129491.tif 000016
【図１１Ｂ】
2006129491.tif 000017
【図１２】
2006129491.tif 000018
【図１３】
2006129491.tif 000019
【図１４】
2006129491.tif 000020
【図１５Ａ】
2006129491.tif 000021
【図１５Ｂ】
2006129491.tif 000022
【図１６Ａ】
2006129491.tif 000023
【図１６Ｂ】
2006129491.tif 000024